(57)【要約】【課題】手間をかけることなく、テレビ受信機で受信している番組の受信チャンネル番号を簡単に特定することができる受信チャンネル番号表示装置および方法を提供する。【解決手段】番組をテレビ受信機で受信している際に、当該番組を放映している受信チャンネルに係り、当該テレビ受信機から漏洩している局部発振信号の周波数成分を検出し、この検出した周波数成分に基づいて、当該受信チャンネルに割り当てられている受信チャンネル番号を表示する受信チャンネル番号表示装置１であって、局部発振信号受信部３と、周波数変換部５と、検出部７と、制御部１１と、表示部１３と、を備えた。【選択図】      図２
2004343345.tif 000002
【特許請求の範囲】
【請求項１】
テレビ受信機から漏洩している受信中の番組に対する受信チャンネルの局部発振信号の周波数成分を検出し、この検出した周波数成分に基づいて、当該受信チャンネルに割り当てられている受信チャンネル番号を表示する受信チャンネル番号表示装置であって、
前記局部発振信号を受信する局部発振信号受信手段と、
この局部発振信号受信手段で受信した局部発振信号の周波数成分を検出信号として検出する検出信号出力手段と、
この検出信号出力手段で検出した検出信号が予め規定した規定値以上である場合に、前記局部発振信号の周波数を特定すると共に、この特定した局部発振信号の周波数と、予め受信チャンネル番号および受信チャンネル周波数を関連付けた情報である受信チャンネル番号情報とを比較した比較結果に基づいて、前記テレビ受信機で受信中の番組の受信チャンネル番号を特定する受信チャンネル番号特定手段と、
この受信チャンネル番号特定手段で特定した受信チャンネルの番号を表示する受信チャンネル番号表示手段と、
を備えることを特徴とする受信チャンネル番号表示装置。
【請求項２】
テレビ受信機から漏洩している受信中の番組に対する受信チャンネルの局部発振信号の周波数成分を検出し、この検出した周波数成分に基づいて、当該受信チャンネルに割り当てられている受信チャンネル番号を表示する受信チャンネル番号表示装置であって、
前記局部発振信号を受信する局部発振信号受信手段と、
この局部発振信号受信手段で受信した局部発振信号と、前記受信チャンネルの周波数に係り、当該周波数よりも低い周波数を有する受信チャンネル周波数信号とを混合して周波数変換する周波数変換手段と、
この周波数変換手段で周波数変換した結果から前記局部発振信号の周波数成分を検出信号として検出する検出信号出力手段と、
この検出信号出力手段で検出した検出信号が予め規定した規定値以上である場合に、前記局部発振信号の周波数を特定すると共に、この特定した局部発振信号の周波数と、予め受信チャンネル番号および受信チャンネル周波数を関連付けた情報である受信チャンネル番号情報とを比較した比較結果に基づいて、前記テレビ受信機で受信中の番組の受信チャンネル番号を特定する受信チャンネル番号特定手段と、
この受信チャンネル番号特定手段で特定した受信チャンネルの番号を表示する受信チャンネル番号表示手段と、
を備えることを特徴とする受信チャンネル番号表示装置。
【請求項３】
前記受信チャンネル番号特定手段は、前記局部発振信号の周波数を特定できない場合または前記比較結果に基づいて前記受信チャンネル番号を特定できない場合は、前記受信チャンネル番号を特定できないことを示すエラー表示信号を前記受信チャンネル番号表示手段に出力することを特徴とする請求項１または請求項２に記載の受信チャンネル番号表示装置。
【請求項４】
前記受信チャンネル番号特定手段は、前記受信チャンネル番号を順次変更していく全チャンネルサーチを実行し、この全チャンネルサーチによって、前記番組を放映している受信チャンネル番号を特定することを特徴とする請求項１から請求項３のいずれか一項に記載の受信チャンネル番号表示装置。
【請求項５】
前記受信チャンネル番号特定手段で特定した局部発振信号の周波数と、受信チャンネル番号情報に含まれている周波数との一致の程度を表示する周波数一致程度表示手段を備えることを特徴とする請求項１から請求項４のいずれか一項に記載の受信チャンネル番号表示装置。
【発明の詳細な説明】
【０００１】
【発明の属する技術分野】
本発明は、テレビ受信機から漏洩している信号を検出し、当該テレビ受信機で受信している番組の受信チャンネル番号を表示する受信チャンネル番号表示装置に関する。
【０００２】
【従来の技術】
従来、テレビ受信機は、当初、当該テレビ受信機を購入して設置後、当該テレビ受信機の本体に備えられている操作パネルや当該テレビ受信機に付属されているリモコン等が操作され、地域ごとに設定されている受信チャンネルの周波数（受信チャンネル周波数）と受信チャンネルの番号（受信チャンネル番号）とが合致するように調整されていた。
【０００３】
テレビ受信機は、受信チャンネル周波数と受信チャンネル番号とを調整する調整の仕方によって、周波数シンセサイザー方式のテレビ受信機と、電圧シンセサイザー方式のテレビ受信機との２つの方式に大別される。
【０００４】
周波数シンセサイザー方式のテレビ受信機とは、当該テレビ受信機の本体に備えられている操作パネルの操作ボタンや当該テレビ受信機に付属されているリモコンによって数値指定をして、受信チャンネルを設定することができ、受信チャンネルを設定する受信チャンネル設定画面（受信している番組を表示しつつ、数値が表示される画面）で、現在受信している受信チャンネル番号を特定することができるものである。また、電圧シンセサイザー方式のテレビ受信機とは、受信チャンネルを設定する受信チャンネル設定画面で、チャンネル設定ボタンを一定時間（数秒）以上長く押すことによって受信チャンネルを設定することができるものである。
【０００５】
さらに、テレビ受信機の受信チャンネル設定に関する技術として、例えば、「テレビジョンチャネルの自動検出装置」（特許文献１参照）や「選局装置」（特許文献２参照）が開示されており、「テレビジョンチャネルの自動検出装置」は、受信チャンネル（同調受信チャネル）を自動的に検出する技術に関するものであり、「選局装置」は、テレビ受信機（選局装置）の受信モード（ＴＶ放送とＣＡＴＶ放送とを受信するモード）を自動的に設定する技術に関するものである。
【０００６】
【特許文献１】
特開平５−３２８２３５号公報（段落番号０００９−段落番号００２９、第１図）
【特許文献２】
特開平６−２３２６９７号公報（段落番号０００３−段落番号０００６、第２図）
【０００７】
【発明が解決しようとする課題】
しかしながら、従来の構成では、テレビ受信機で受信している番組を放映している受信チャンネル番号を確認（特定）するためには、テレビ受信機の操作パネルに設けられている操作ボタンや、テレビ受信機に付属しているリモコン操作によって、テレビ受信機で表示している画面を受信チャンネル設定画面に変更して確認する必要があり手間がかかるという問題がある。
【０００８】
例えば、周波数シンセサイザー方式のテレビ受信機の多くは、受信チャンネル設定画面に、リモコン番号、画面表示番号、受信チャンネル番号等が表示されるため、どの数字が受信チャンネル番号を指しているものであるかを一見して判別することが難しく、当該テレビ受信機に付属されている取扱説明書を熟読するか、テレビ受信機の受信チャンネル設定に詳しい人にきかなければならないと言う手間がかかる。
【０００９】
また、電圧シンセサイザー方式のテレビ受信機では、受信チャンネル設定画面（受信している番組を表示しつつ、数値が表示される画面）を見ただけでは当該テレビ受信機が現在受信している番組と受信チャンネル番号とを特定することができない。つまり、当該テレビ受信機が受信している番組（放送画面の内容）と新聞やテレビ雑誌等に掲載されているテレビ欄（番組情報）から現在受信している受信チャンネルを推定することになる。しかし、同一の番組が複数の受信チャンネルで受信できる地域（例えば、ＶＨＦの放送波およびＵＨＦの放送波によって、同一の番組が放送されており、受信できる環境にある地域）では、番組がどの受信チャンネル番号で放送されているかを把握するのは困難であった。
【００１０】
そこで、本発明の目的は前記した従来の技術が有する課題を解消し、手間をかけることなく、テレビ受信機で受信している番組の受信チャンネル番号を簡単に特定することができる受信チャンネル番号表示装置および受信チャンネル番号表示方法を提供することにある。
【００１１】
【課題を解決するための手段】
本発明は、前記した目的を達成するため、以下に示す構成とした。
請求項１記載の受信チャンネル番号表示装置は、テレビ受信機から漏洩している受信中の番組に対する受信チャンネルの局部発振信号の周波数成分を検出し、この検出した周波数成分に基づいて、当該受信チャンネルに割り当てられている受信チャンネル番号を表示する受信チャンネル番号表示装置であって、局部発振信号受信手段と、検出信号出力手段と、受信チャンネル番号特定手段と、受信チャンネル番号表示手段と、を備える構成とした。
【００１２】
かかる構成によれば、受信チャンネル番号表示装置は、局部発振信号受信手段によって、テレビ受信機から電磁放射されている局部発振信号（漏洩局発信号）を受信し、検出信号出力手段によって、局部発振信号の周波数成分を検出信号として出力する。そして、この受信チャンネル番号表示装置は、受信チャンネル番号特定手段によって、検出信号出力手段で検出した検出信号が予め規定した規定値以上である場合に、局部発振信号の周波数を特定すると共に、この特定した局部発振信号の周波数と、受信チャンネル番号情報とを比較した比較結果に基づいて、テレビ受信機で受信中の番組の受信チャンネル番号を特定し、受信チャンネル番号表示手段によって特定した受信チャンネル番号を表示する。
【００１３】
請求項２記載の受信チャンネル番号表示装置は、テレビ受信機から漏洩している受信中の番組に対する受信チャンネルの局部発振信号の周波数成分を検出し、この検出した周波数成分に基づいて、当該受信チャンネルに割り当てられている受信チャンネル番号を表示する受信チャンネル番号表示装置であって、局部発振信号受信手段と、周波数変換手段と、検出信号出力手段と、受信チャンネル番号特定手段と、受信チャンネル番号表示手段と、を備える構成とした。
【００１４】
かかる構成によれば、受信チャンネル番号表示装置は、局部発振信号受信手段によって、テレビ受信機から電磁放射されている局部発振信号（漏洩局発信号）を受信し、周波数変換手段によって、受信した局部発振信号と、受信チャンネルの周波数に係り、当該周波数よりも低い周波数を有する受信チャンネル周波数信号とを混合して周波数変換する。この周波数変換手段によって、局部発振信号の周波数成分が受信した当初よりも低くすることができる。この周波数成分を低くすることによって、検出信号出力手段を実際に構成する際の回路構成を簡便にすることができる。つまり、高周波の周波数成分を取り扱う回路構成よりも低周波の周波数成分を取り扱う回路構成の方が簡便に行うことができる。
【００１５】
続いて、この受信チャンネル番号表示装置は、検出信号出力手段によって、周波数変換手段で周波数変換した結果、つまり、周波数スペクトラムから局部発振信号の周波数成分を検出信号として出力し、受信チャンネル番号特定手段によって、検出信号と予め規定した規定値とを比較し、この検出信号が規定値以上である場合、つまり、周波数成分のピーク値が規定値以上である場合、局部発振信号の周波数を特定すると共に、局部発振信号の周波数と受信チャンネル番号情報とを比較した結果に基づいて、受信チャンネル番号を特定する。そして、この受信チャンネル番号表示装置は、特定した受信チャンネル番号を受信チャンネル番号表示手段によって表示する。
【００１６】
請求項３記載の受信チャンネル番号表示装置は、請求項１または請求項２に記載の受信チャンネル番号表示装置において、前記受信チャンネル番号特定手段は、前記局部発振信号の周波数を特定できない場合または前記比較結果に基づいて前記受信チャンネル番号を特定できない場合は、前記受信チャンネル番号を特定できないことを示すエラー表示信号を前記受信チャンネル番号表示手段に出力することを特徴とする。
【００１７】
かかる構成によれば、受信チャンネル番号表示装置は、受信チャンネル番号特定手段によって、局部発振信号の周波数を特定できない場合、または、比較結果に基づいて受信チャンネル番号を特定できない場合には、エラー表示信号を受信チャンネル番号表示手段に出力する。そして、この受信チャンネル番号表示手段では、エラー表示信号に基づいた表示がなされる。
【００１８】
請求項４記載の受信チャンネル番号表示装置は、請求項１から請求項３のいずれか一項に記載の受信チャンネル番号表示装置において、前記受信チャンネル番号特定手段は、前記受信チャンネル番号を順次変更していく全チャンネルサーチを実行し、この全チャンネルサーチによって、前記番組を放映している受信チャンネル番号を特定することを特徴とする。
【００１９】
かかる構成によれば、受信チャンネル番号表示装置は、受信チャンネル番号特定手段によって、受信チャンネル番号（例えば、１３ｃｈ〜６２ｃｈまで）を順次変更していく全チャンネルサーチを実行し、当該テレビ受信機から漏洩している局部発振信号の周波数成分が検出信号出力手段によって検出できるか否かに基づき、番組を放映している受信チャンネル番号を特定する。
【００２０】
請求項５記載の受信チャンネル番号表示装置は、請求項１から請求項４のいずれか一項に記載の受信チャンネル番号表示装置によって、前記受信チャンネル番号特定手段で特定した局部発振信号の周波数と、受信チャンネル番号情報に含まれている周波数との一致の程度を表示する周波数一致程度表示手段を備えることを特徴とする。
【００２１】
かかる構成によれば、受信チャンネル番号表示装置は、周波数一致程度表示手段によって、受信チャンネル番号特定手段で特定した局部発振信号の周波数と、受信チャンネル番号情報に含まれている周波数との一致の程度を表示する。例えば、この周波数一致程度表示手段は、色が異なる複数のＬＥＤによって構成されるインジケータであって、一見して一致の程度が把握できるようになっている。
【００２２】
【発明の実施の形態】
以下、本発明の一実施の形態について、図面を参照して詳細に説明する。
（受信チャンネル番号表示装置の概略）
図１は、受信チャンネル番号表示装置の概略図である。
【００２３】
この図１に示すように、受信チャンネル番号表示装置１は、直方体の外装ケース１ａによって外観が形成されており、この外装ケース１ａの上部１ｂに、受信アンテナ３ａが設けられており、また、外装ケース１ａの平面部１ｃに各種のスイッチ（９ａ、９ｂ、９ｃ）と、表示部１３とが設けられている。
【００２４】
この受信チャンネル番号表示装置１は、番組を受信しているテレビ受信機（図示せず）に近づけることで、当該テレビ受信機内の回路から漏洩している局部発振信号（漏洩局発信号）を受信して、当該テレビ受信機で受信している番組の受信チャンネルの周波数を特定し、この特定した周波数と予め記録している受信チャンネル番号情報とに基づいて、当該番組の受信チャンネル番号を表示部１３に表示するものである。
【００２５】
なお、受信チャンネル番号情報とは、番組を放映（放送）している放送局に割り当てられている周波数帯域と、同じく当該放送局に割り当てられている受信チャンネル番号とが関連付けられているものである。
【００２６】
（受信チャンネル番号表示装置の構成）
この図１に示した受信チャンネル番号表示装置１のブロック図を図２に示す。この図２に示すように、受信チャンネル番号表示装置１は、局部発振信号受信部３と、周波数変換部５と、検出部７と、入力部９と、制御部１１と、表示部１３とを備えている。
【００２７】
局部発振信号受信部３は、テレビ受信機から漏洩している、つまり、電磁放射されている局部発振信号（漏洩局発信号）を受信し、この局部発振信号（漏洩局発信号）の電力を増幅して出力するもので、受信アンテナ３ａと、ＡＭＰ（電力増幅器）３ｂとを備えている。
【００２８】
なお、局部発振信号（漏洩局発信号）は、微弱な電波であり、受信している受信チャンネルの周波数によって異なるものである。この微弱な電波は、テレビ受信機（図示せず）が受信している映像搬送波の周波数に５８．７５ＭＨｚを加算した周波数を有する電波のことである。また、この局部発振信号（漏洩局発信号）を局部発振信号受信部３で受信できる範囲は狭いので、実際に使用する際には、当該装置１をテレビ受信機に十分に近づけて（例えば、テレビ受信機の周囲１ｍ以内）使用する必要がある。
【００２９】
受信アンテナ３ａは、局部発振信号（漏洩局発信号）を受信可能に構成されている。この実施の形態では、受信アンテナ３ａは、ＵＨＦ１３チャンネルの局部発振信号である５３０ＭＨｚ付近からＵＨＦ６２チャンネルの局部発振信号である８２４ＭＨｚ付近までを受信可能な受信周波数帯域を有している。また、この受信アンテナ３ａは、１５ｄＢμＶ〜１００ｄＢμＶの局部発振信号（漏洩局発信号）を受信可能な受信感度を有している。
【００３０】
ＡＭＰ（電力増幅器）３ｂは、受信アンテナ３ａで受信した局部発振信号（漏洩局発信号）の電力を増幅して、周波数変換部５に出力するものである。なお、局部発振信号受信部３が特許請求の範囲に記載した局部発振信号受信手段に相当する。
【００３１】
周波数変換部５は、制御部１１から出力される制御信号に基づいて、テレビ受信機（図示せず）で受信可能な受信チャンネル周波数を有する受信チャンネル周波数信号を生成し、この生成した受信チャンネル周波数信号と、ＡＭＰ３ｂから出力された電力増幅後の局部発振信号（漏洩局発信号）とを混合して周波数変換するもので、ＰＬＬ５ａと、ＭＩＸ５ｂとを備えている。
【００３２】
ＰＬＬ（位相固定回路；Ｐｈａｓｅ  Ｌｏｃｋｅｄ  Ｌｏｏｐ）５ａは、制御部１１から出力された制御信号に基づいて、局部発振信号（漏洩局発信号）に当該装置１の局部発振信号（例えば、１０．７ＭＨｚ）を加えた信号を生成して、ＭＩＸ５ｂに出力するものである。
【００３３】
ＭＩＸ（混合器）５ｂは、ＰＬＬ５ａから出力された受信チャンネル周波数信号と、局部発振信号受信部３から出力された電力増幅後の局部発振信号（漏洩局発信号）とを混合して検出部７に出力するものである。
【００３４】
これら周波数変換部５の処理によって、検出部７における信号処理を行うのに最適な周波数（局部発振信号の周波数よりも低い周波数）に変換される。つまり、周波数変換部５の処理で、局部発振信号および受信チャンネル周波数信号が混合された結果が周波数に変換されており、この周波数から局部発振信号の周波数成分が検出部７で検出可能になる。なお、この周波数変換部５の処理によって、局部発振信号の周波数よりも低い周波数に変換されるので、後続している検出部７に入力される信号が低周波の信号（周波数成分）となる。これによって、高周波の周波数成分を取り扱う回路構成よりも低周波の周波数成分を取り扱う回路構成の方が簡便であるので、検出部７の回路構成を簡便にすることができる。また、この周波数変換部５が特許請求の範囲に記載した周波数変換手段に相当するものである。また、この周波数変換部５を備えない場合であっても、当該装置１は受信チャンネル番号を特定することができ、この場合、制御部１１から出力される制御信号（後記）は出力されないこととなる。
【００３５】
検出部７は、周波数変換部５で混合され、周波数変換された結果に基づいて、局部発振信号の周波数成分を検出信号として制御部１１に出力するもので、ＡＭＰ７ａと、ＢＰＦ７ｂと、ＡＭＰ７ｃと、検波回路７ｄとを備えている。なお、この実施の形態では、検出部７では、主にＢＰＦ７ｂと検波回路７ｄとによって、検出信号を検出する構成としているが、例えば、離散フーリエ変換によって、周波数変換された結果から受信チャネル周波数を検出する構成としてもよい。この検出部７が特許請求の範囲に記載した検出信号出力手段に相当する。
【００３６】
ＡＭＰ（電力増幅器）７ａは、周波数変換部５で混合され、周波数変換された結果を電力増幅して、ＢＰＦ７ｂに出力するものである。
【００３７】
ＢＰＦ（帯域フィルタ；バンドパスフィルタ）７ｂは、ＡＭＰ７ａで電力増幅された結果から、不要な帯域を除去するものである。つまり、局部発振信号の周波数成分に該当しない、高域および低域の周波数成分（周波数変換部５における周波数変換後の不要波）がこのＢＰＦ７ｂによって除去される。
【００３８】
ＡＭＰ（電力増幅器）７ｃは、ＢＰＦ７ｂで高域および低域の周波数成分が除去された中域の周波数成分を電力増幅して、検波回路７ｄに出力するものである。
【００３９】
検波回路７ｄは、ＡＭＰ７ｃで周波数成分の中域が電力増幅された結果から、局部発振信号の周波数成分を検波（復調）し、この検波した周波数成分を検出信号として、制御部１１に出力するものである。
【００４０】
入力部９は、受信チャンネル番号表示装置１の使用者が当該装置１を操作する際に押下するスイッチ類で構成されており、全チャンネルサーチスイッチ９ａと、リセットスイッチ９ｂと、チャンネル番号設定スイッチ９ｃとを備えている。なお、スイッチ類が操作（押下）された場合、制御部１１には入力部９から入力信号が入力される。
【００４１】
全チャンネルサーチスイッチ９ａは、当該装置１に記録されている受信チャンネル番号（１３チャンネルから６２チャンネルまで）を順次（順番）に変更していくものである。この全チャンネルサーチスイッチ９ａが押下されると、当該装置１では、受信チャンネル番号が順次変更され、各受信チャンネル番号でテレビ受信機（図示せず）から漏洩している局部発振信号が受信できるか否かを検出部７からの検出信号に基づいて、制御部１１で判別（判定）していく。
【００４２】
この制御部１１における検出信号の判別（判定）は、当該検出信号の波高値が予め設定した規定値以上であるか否かによって行われ、検出信号の波高値（ピーク値）が規定値以上である場合には、局部発振信号が受信できている、すなわち、テレビ受信機（図示せず）で現在受信している番組の受信チャンネル番号に該当すると判別（判定）され、検出信号の波高値（ピーク値）が規定値以上でない場合（規定値未満の場合）には、局部発振信号が受信できていない、すなわち、テレビ受信機（図示せず）で現在受信している番組の受信チャンネル番号に該当しないと判別（判定）される。
【００４３】
リセットスイッチ９ｂは、制御部１１の図示を省略した記憶部（ｒａｍ等）に一時的に記憶される情報を消去する場合や、当該装置１の操作を始めからやり直すときに使用するものである。
【００４４】
チャンネル番号設定スイッチ９ｃは、当該装置１の使用者が直接、受信チャンネル番号を設定（指定）するためのものである。このチャンネル番号設定スイッチ９ｃによって、受信チャンネル番号を設定した後、番組を受信しているテレビ受信機（図示せず）に当該装置１を近づけ、表示部１３の受信感度（後記する）を確認することによって、当該番組を放映している受信チャンネル番号を特定することができる。
【００４５】
制御部１１は、受信チャンネル番号表示装置１の制御を司るもので、入力部９からの入力信号に基づいて、制御信号を周波数変換部５に出力すると共に、検出部７からの検出信号および受信チャンネル番号情報に基づいて、局部発振信号の周波数と受信チャンネル周波数とを比較し、受信チャンネル番号を特定し、この特定した受信チャンネル番号を、表示部１３に表示信号（チャンネル番号表示信号）として出力するものである。
【００４６】
また、この制御部１１は、検出部７から検出信号（局部発振信号の周波数成分）が出力された場合には、正常に局部発振信号が局部発振信号受信部３で受信されたものとして、表示信号（検出表示信号）を表示部１３に出力し、検出部７から検出信号が出力されなかった場合には、正常に局部発振信号が局部発振信号受信部３で受信されなかったものとして、表示信号（エラー表示信号）を表示部１３に出力する。
【００４７】
さらに、この制御部１１は、局部発振信号の波高値（ピーク値）の変化を示す表示信号（メーター表示信号［レベル表示信号］）を表示部１３に出力する。なお、この実施の形態では、この制御部１１はプログラム可能なワンチップマイコン（図示を省略した記憶部を備えている）によって構成されている。この図示を省略した記憶部に受信チャンネル番号情報が記憶されている。この制御部１１が特許請求の範囲に記載した受信チャンネル番号特定手段に相当するものである。
【００４８】
表示部１３は、局部発振信号が受信できた場合（検出表示信号が出力される）に点灯する正常受信表示部１３ａ（図１では「正常受信」と表示）と、局部発振信号が受信できなかった場合（エラー表示信号）に点灯する異常受信表示部１３ｂ（図１では「異常受信」と表示）と、局部発振信号の受信感度（メーター表示信号［レベル表示信号］）を表示する受信感度表示部１３ｃ（図１では「受信感度」と表示）と、受信チャンネル番号（チャンネル番号表示信号）を表示するチャンネル表示部１３ｄ（図１では「チャンネル」と表示）と、を備えている。
【００４９】
なお、この実施の形態では、正常受信表示部１３ａおよび異常受信表示部１３ｂは、それぞれ一つのＬＥＤが点灯することによって、正常受信されたか異常受信されたかを表示している。また、受信感度表示部１３ｃは、色違いの複数のＬＥＤが点灯する個数（点灯する個数が多いほど、受信感度が良好を示す）によって受信感度を表現可能に構成されており、チャンネル表示部１３ｄは、複数のＬＥＤの点滅によって、二桁の数字が表示可能に構成されている。なお、表示部１３のチャンネル表示部１３ｄが特許請求の範囲に記載した受信チャンネル番号表示手段に相当するものである。また、表示部１３の受信感度表示部１３ｃが特許請求の範囲に記載した周波数一致程度表示手段に相当するものである。
【００５０】
この受信チャンネル番号表示装置１によれば、局部発振信号受信部３によって、テレビ受信機から電磁放射されている局部発振信号（漏洩局発信号）が受信され、周波数変換部５によって、受信した局部発振信号と、受信チャンネルの周波数を有する受信チャンネル周波数信号とが混合されて周波数変換される。続いて、検出部７によって、周波数変換部５で周波数変換した結果から局部発振信号の周波数成分が検出信号として出力され、制御部１１によって、検出信号と予め規定した規定値とが比較され、この検出信号が規定値以上である場合、局部発振信号の周波数が特定すると共に、局部発振信号の周波数と受信チャンネル番号情報とが比較された結果に基づいて、受信チャンネル番号が特定される。そして、表示部１３で、特定した受信チャンネル番号が表示される。このため、受信チャンネル番号表示装置１では、テレビ受信機から漏洩している局部発振信号を利用して、当該テレビ受信機で受信している番組の受信チャンネル番号を特定しており、当該装置１の使用者は、手間をかけることなく、受信している番組の受信チャンネル番号を知ることができる。
【００５１】
また、制御部１１で局部発振信号の周波数を特定できない場合、または、比較結果に基づいて受信チャンネル番号を特定できない場合には、エラー表示信号が異常受信表示部１３ｂに出力され、表示がなされるので、当該装置１の使用者は受信チャンネル番号が特定できない場合は、当該テレビ受信機が受信している番組（放送画面の内容）と新聞やテレビ雑誌等に掲載されているテレビ欄（番組情報）から現在受信している受信チャンネルを推定し、チャンネル調整を実施する。
【００５２】
また、この受信チャンネル番号表示装置１の制御部１１は、入力部９の受信チャンネル番号を順次変更していく全チャンネルサーチを実行し、この全チャンネルサーチによって、番組を放映している受信チャンネル番号を特定している。このため、受信チャンネル番号表示装置１の使用者は、当該装置１の全チャンネルサーチスイッチを押下するだけで、手間をかけることなく、テレビ受信機で受信している番組の受信チャンネル番号を簡単に特定することができる。
【００５３】
さらに、この受信チャンネル番号表示装置１は、表示部１３の受信感度表示部１３ｃによって、制御部１１で特定した局部発振信号の周波数と、受信チャンネル番号情報に含まれている周波数との一致の程度（受信感度）を表示する。これによって、当該装置１の使用者は、テレビ受信機で現在受信している番組の受信チャンネル番号を特定する際に、チャンネル表示部１３ｄに確定したチャンネル番号が表示される前に、受信感度表示部１３ｃの表示変化によって受信チャンネル番号を予測することができる。
【００５４】
（受信チャンネル番号表示装置の動作）
次に、図３に示すフローチャートを参照して、受信チャンネル番号表示装置１の動作を説明する（適宜、図２参照）。なお、この動作の説明では、予めテレビ受信機（図示せず）の電源はオンされており、当該テレビ受信機（テレビチューナー、ビデオテープレコーダ等、テレビ放送波を受信可能な機器）で、ある番組が受信されていることを前提としている。
【００５５】
まず、受信チャンネル番号表示装置１の入力部９の全チャンネルサーチスイッチ９ａが押下（スイッチオン）される（Ｓ１）。続いて、制御部１１から制御信号（受信チャンネル周波数信号）が周波数変換部５に出力される（Ｓ２）。
【００５６】
そして、局部発振信号受信部３で局部発振信号が受信され、周波数変換部５に出力される（Ｓ３）。すると、この周波数変換部５で、受信された局部発振信号と受信チャンネル周波数信号とがＭＩＸ５ｃで混合され周波数変換されて、検出部７に出力される（Ｓ４）。
【００５７】
検出部７で、周波数変換された結果から、局部発振信号の周波数成分が検出信号として制御部１１に出力される（Ｓ５）。この検出信号および受信チャンネル番号情報に基づいて、制御部１１で表示信号（例えば、チャンネル番号表示信号）が生成され、表示部１３に出力される（Ｓ６）。そして、表示部１３で、制御部１１にて生成された表示信号に基づいて、表示がなされる（Ｓ７）。例えば、表示信号がチャンネル番号表示信号であれば、チャンネル表示部１３ｄに受信チャンネル番号の表示がなされる。
【００５８】
（受信チャンネル番号表示装置の有効性について）
次に、受信チャンネル番号表示装置１の有効性について、実際に試作し、実験した結果、図４から図１０を参照して説明する。
【００５９】
まず、実際に試作した受信チャンネル番号表示装置１の概要を文章のみで説明する。
受信チャンネル番号表示装置１は、アナログ周波数変更に際し、膨大な数の受信チャンネル番号の変更（調整）を、多種多様なテレビ受信機で実行する際に有効に機能するものである。特に電圧シンセサイザー方式のテレビ受信機（図示せず）の場合、受信チャンネルを調整するチャンネル調整画面にしても受信している受信チャンネル番号が表示されないため、受信チャンネルの調整を行うのに多大な時間を要すこととなる。
【００６０】
また、一般に、テレビ受信機（図示せず）は、アンテナ（図示せず）で受信した電波（映像搬送波および音声搬送波）から希望する受信チャンネルの番組（テレビ信号）を取り出すために、一度、テレビ受信機内部の選局部（図示せず）で周波数変換を行って、映像搬送波の周波数より低い５８．７５ＭＨｚの中間周波数の信号に変換する。このとき、周波数変換を行う回路からは、５８．７５ＭＨｚの中間周波数信号以外に、映像搬送波の周波数＋５８．７５ＭＨｚの微弱な信号が輻射される。この微弱な信号がテレビ受信機から漏洩して局部発振信号（漏洩局発信号）となり、この漏洩局発信号を受信チャンネル番号表示装置１は、受信、検出し、テレビ受信機に設定されている（プリセットされている）受信チャンネル番号を特定する。
【００６１】
これより、図４から図７を参照して、受信チャンネル番号表示装置１の有効性について説明する（適宜、図２参照）。
［潜在放送波を除去したＢＰＦ特性］
受信チャンネル番号表示装置１で受信する漏洩局発信号は、映像搬送波の周波数＋５８．７５ＭＨｚに発生するため、図４に示すように、受信すべき漏洩局発信号より２５０ｋＨｚ離れた箇所に潜在放送波ｆａが存在する場合がある。この潜在放送波ｆａを除去する急峻なバンドパスフィルタが必要であったので、図５に示す特性を有するもの、すなわち、検出部７のＢＰＦ７ｂは、漏洩局発信号の周波数ｆＬＯを中心に２００ｋＨｚのみを通過させ、２５０ｋＨｚ離れた周波数は除去することができるものである。そして、図６に示すように、検出部７のＢＰＦ７ｂは、通過帯域幅２００ｋＨｚ、減衰量１００ｄＢのものとした。なお、このＢＰＦ７ｂは、セラミックフィルタの多段接続によって構成した。
【００６２】
［漏洩局発信号の有無の検出］
テレビ受信機（図示せず）から漏洩局発信号が漏洩していない場合の対策として、表示部１３の受信感度表示部１３ｃによるレベル表示によって、漏洩局発信号と受信チャンネル周波数との一致の程度、つまり、漏洩のレベルが目視で認識できるように構成している。
【００６３】
［漏洩局発信号と同一周波数帯の潜在放送波に対する処理］
また、漏洩局発信号と同一（同様）の周波数の不要波が存在した場合、このままでは、受信チャンネル番号表示装置１は、テレビ受信機の受信チャンネルであると判別してしまうので、２つ以上の漏洩局発信号を受信した場合、表示部１３の異常受信表示部１３ｂが点灯することによって、使用者に通知されると共に、受信したチャンネルの個数と受信した受信チャンネル番号をチャンネル表示部１３ｄに表示させる構成としている。
【００６４】
［実際に試作した結果について］
図７は、実際に試作した受信チャンネル番号表示装置１を使用している例である。この図７では、実際にテレビ受信機に受信チャンネル番号表示装置１を近づけて、受信チャンネル番号を表示している状態を示している。この図７に示すように、ＬＥＤの点灯（正常受信表示部１３ａ、異常受信表示部１３ｂ）と受信した受信チャンネル番号（チャンネル表示部１３ｄ）を表示することにより、テレビ受信機の受信チャンネル番号を特定している。
【００６５】
以上、一実施形態に基づいて本発明を説明したが、本発明はこれに限定されるものではない。
例えば、受信チャンネル番号表示装置１の各構成の処理を一つずつの過程と捉えた受信チャンネル番号表示方法とみなすことも可能である。この場合、受信チャンネル番号表示装置１と同様の効果を得ることができる。
【００６６】
【発明の効果】
請求項１、２記載の発明によれば、テレビ受信機から漏洩している局部発振信号を利用して、当該テレビ受信機で受信している番組の受信チャンネル番号を特定しているので、当該装置の使用者は、手間をかけることなく、受信している番組の受信チャンネル番号を知ることができる。
【００６７】
請求項３記載の発明によれば、局部発振信号の周波数を特定できない場合、または、比較結果に基づいて受信チャンネル番号を特定できない場合には、エラー表示信号が受信チャンネル番号表示手段に出力され、この受信チャンネル番号表示手段では、エラー表示信号に基づいた表示がなされるので、当該装置の使用者は受信チャンネル番号が特定できない場合は、当該テレビ受信機が受信している番組（放送画面の内容）と新聞やテレビ雑誌等に掲載されているテレビ欄（番組情報）から現在受信している受信チャンネルを推定し、チャンネル調整を実施することができる。
【００６８】
請求項４記載の発明によれば、受信チャンネル番号を順次変更していく全チャンネルサーチを実行し、この全チャンネルサーチによって、番組を放映している受信チャンネル番号を特定している。このため、当該装置の使用者は、当該装置の全チャンネルサーチスイッチを押下するだけで、手間をかけることなく、テレビ受信機で受信している番組の受信チャンネル番号を簡単に特定することができる。
【００６９】
請求項５記載の発明によれば、当該装置の使用者は、テレビ受信機で現在受信している番組の受信チャンネル番号を特定する際に、漏洩している局部発振信号のレベルを確認することができる。
【図面の簡単な説明】
【図１】本発明による一実施の形態である受信チャンネル番号表示装置の概略図である。
【図２】図１に示した受信チャンネル番号表示装置のブロック図である。
【図３】図１、図２に示した受信チャンネル番号表示装置の動作を説明したフローチャートである。
【図４】潜在放送波について説明した図である。
【図５】バンドパスフィルタ（ＢＰＦ）の所要特性を示した図である。
【図６】作成したバンドパスフィルタ（ＢＰＦ）のフィルタ特性を説明した図である。
【図７】実際に試作した受信チャンネル番号表示装置の使用例を説明した図である。
【符号の説明】
１        受信チャンネル番号表示装置
３        局部発振信号受信部（局部発振信号受信手段）
５        周波数変換部（周波数変換手段）
７        検出部（検出信号出力手段）
９        入力部
１１      制御部（受信チャンネル番号特定手段）
１３      表示部（受信チャンネル番号表示手段）
【図１】
2004343345.tif 000003
【図２】
2004343345.tif 000004
【図３】
2004343345.tif 000005
【図４】
2004343345.tif 000006
【図５】
2004343345.tif 000007
【図６】
2004343345.tif 000008
【図７】
2004343345.tif 000009